【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
機器を運転する対象者の顔面データの時系列変化を示す顔面変化情報を取得する顔面変化情報取得部（２０，１２０，４１５，４４２）と、
前記顔面変化情報のうち少なくとも副鼻腔周辺及び／又は前額部を含む顔面変化情報に基づいて前記対象者の運転者状態を判定する運転者状態判定部（２００，４４５）と、
を備える、運転者状態判定装置（１０，１１０，４００，４００Ａ，４００Ｂ）。
【請求項２】
機器（３５０）を運転する対象者（３００）に、人間の脳機能を賦活する脳機能賦活情報を提供する脳機能賦活情報提供部（４４１）をさらに備え、
前記運転者状態判定部は、前記脳機能賦活情報提供部が脳機能賦活情報を提供したときの前記顔面変化情報のうち少なくとも副鼻腔周辺及び／又は前額部を含む顔面変化情報に基づいて前記対象者の運転者状態を判定する、
請求項１に記載の運転者状態判定装置（４００）。
【請求項３】
機器を運転する対象者に提供される、人間の脳機能を賦活する脳機能賦活情報を検知する脳機能賦活情報検知部（４４１Ａ）をさらに備え、
前記運転者状態判定部は、前記脳機能賦活情報検知部が脳機能賦活情報を検知したときの前記顔面変化情報のうち少なくとも副鼻腔周辺及び／又は前額部を含む顔面変化情報に基づいて前記対象者の運転者状態を判定する、
請求項１に記載の運転者状態判定装置（４００Ａ）。
【請求項４】
機器（３５０）に対する所定の操作により生じる所定の変化量から、人間の脳活動に関連する変化量を脳活動関連変化量として抽出する脳活動関連変化量抽出部（４４１Ｂ）をさらに備え、
前記運転者状態判定部は、前記脳活動関連変化量抽出部が脳活動関連変化量を抽出したときの前記顔面変化情報のうち少なくとも副鼻腔周辺及び／又は前額部を含む顔面変化情報に基づいて前記対象者の運転者状態を判定する、
請求項１に記載の運転者状態判定装置（４００Ｂ）。
【請求項５】
前記顔面変化情報を、少なくとも複数の時間分布（Ｖ）に対応する、複数の成分に分解する顔面変化情報分解部（３０，１３０，４４３）をさらに備え、
前記運転者状態判定部が、前記複数の成分から抽出された判定用成分に基づいて、前記対象者の運転者状態を判定する、
請求項１に記載の運転者状態判定装置。
【請求項６】
前記顔面変化情報分解部は、前記顔面変化情報を、時間分布（Ｖ）及び空間分布（Ｕ）の複数の組に対応する、複数の成分に分解する、
請求項５に記載の運転者状態判定装置。
【請求項７】
前記顔面変化情報分解部は、前記顔面変化情報を、特異値分解、主成分分析或いは独立成分分析により複数の成分に分解する、
請求項５または６に記載の運転者状態判定装置。
【請求項８】
前記複数の成分から、前記脳機能賦活情報、又は、機器（３５０）に対する所定の操作により生じる所定の変化量から抽出される、人間の脳活動に関連する脳活動関連変化量と関連する成分を判定用成分として抽出する判定用成分抽出部（４４４）、
をさらに備える、請求項５から７のいずれか１項に記載の運転者状態判定装置。
【請求項９】
前記判定用成分抽出部は、危険率の値に基づいて、前記判定用成分を抽出する、
請求項８に記載の運転者状態判定装置。
【請求項１０】
脳機能賦活情報又は脳活動関連変化量に対して算出される判定用成分の相関値の、前記脳機能賦活情報又は前記脳活動関連変化量に対して算出された基準判定用成分の基準相関値からの所定範囲の変化量を、運転者状態レベルに関連付けて判定情報として記憶する判定情報記憶部（４３２）をさらに備え、
前記運転者状態判定部が、前記脳機能賦活情報又は前記脳活動関連変化量に対する前記判定用成分の相関値を算出し、算出した相関値及び前記判定情報に基づいて、前記対象者の運転者状態レベルを判定する、
請求項８または９に記載の運転者状態判定装置。
【請求項１１】
ネットワーク上の判定情報提供装置（５００）が、脳機能賦活情報又は脳活動関連変化量に対して算出される判定用成分の相関値の、前記脳機能賦活情報又は前記脳活動関連変化量に対して算出された基準判定用成分の基準相関値からの所定範囲の変化量を、運転者状態レベルに関連付けて判定情報として記憶する判定情報記憶部（５３２）を備え、
前記運転者状態判定部が、前記脳機能賦活情報又は前記脳活動関連変化量に対する判定用成分の相関値を算出し、算出した相関値及び前記判定情報に基づいて、前記対象者の運転者状態レベルを判定する、
請求項８から１０のいずれ１項に記載の運転者状態判定装置。
【請求項１２】
前記機器は、自動車、鉄道車両、飛行機、原子力発電機器、各種プラントを含む自動機械である、
請求項１から１１のいずれか１項に記載の運転者状態判定装置。
【請求項１３】
前記機器は、自動車、鉄道車両、飛行機、原子力発電機器、各種プラントを含む自動機械であり、
前記脳活動関連変化量抽出部は、前記自動機械への指示信号の変化量から、前記脳活動関連変化量を抽出する、
請求項１２に記載の運転者状態判定装置。
【請求項１４】
前記機器は、自動車、鉄道車両、及び飛行機を含む交通機器であり、
前記脳活動関連変化量抽出部は、前記交通機器の加速度の変化量から、前記脳活動関連変化量を抽出する、
請求項１２に記載の運転者状態判定装置。
【請求項１５】
前記運転者状態判定部は、
前記顔面変化情報に基づき、前記対象者の脳活動を推定する脳活動推定手段と、
前記脳活動推定手段により推定された前記対象者の脳活動に基づき、前記対象者の生理状態を監視する状態監視手段（２００）と、
をさらに備える、請求項１に記載の運転者状態判定装置（１０，１１０）。
【請求項１６】
前記脳活動推定手段は、
前記顔面変化情報を、特異値分解、主成分分析或いは独立成分分析により複数の成分に分解し、
前記複数の成分に基づき、前記対象者の脳活動を推定する、
請求項１５に記載の運転者状態判定装置（１０，１１０）。
【請求項１７】
前記状態監視手段は、前記対象者の脳活動に基づき前記対象者の操縦に対する意識レベルを解析する解析部（２０１）を有する、
請求項１５または１６に記載の運転者状態判定装置。
【請求項１８】
前記状態監視手段は、前記解析部により解析された前記意識レベルが一定以下に低下した場合に、前記対象者に注意を促すための報知を行う報知部（２０３）を有する、
請求項１７に記載の運転者状態判定装置。
【請求項１９】
前記対象者の操縦する機器を管理する管理者が、前記対象者の生理状態に関する情報を取得するための情報取得手段（２０２）、を備える、
請求項１５から１８のいずれか１項に記載の運転者状態判定装置。
【請求項２０】
機器（３５０）を運転する対象者（３００）に、人間の脳機能を賦活する脳機能賦活情報を提供する脳機能賦活情報提供ステップ、機器を運転する対象者に提供される、人間の脳機能を賦活する脳機能賦活情報を検知する脳機能賦活情報検知ステップ、又は、機器（３５０）に対する所定の操作により生じる所定の変化量を検出する機器変化量検出ステップ、及び前記機器変化量検出ステップにより検出された変化量から、前記機器を運転する対象者（３００）の脳活動に関連する変化量を脳活動関連変化量として抽出する脳活動関連変化量抽出ステップと、
前記対象者の顔面データの時系列変化を示す顔面変化情報を取得する顔面変化情報取得ステップと、
前記顔面変化情報を、特異値分解、主成分分析或いは独立成分分析により複数の成分に分解する顔面変化情報分解ステップと、
前記複数の成分から、前記脳機能賦活情報又は前記脳活動関連変化量に関連する成分を判定用成分として抽出する判定用成分抽出ステップと、
前記判定用成分に基づいて、前記対象者の運転者状態を判定する運転者状態判定ステップと、
を備える、運転者状態判定方法。
【請求項２１】
脳機能賦活情報又は脳活動関連変化量に対して算出される判定用成分の相関値の、前記脳機能賦活情報又は前記脳活動関連変化量に対して算出された基準判定用成分の基準相関値からの所定範囲の変化量が、運転者状態レベルに関連付けられて判定情報として判定情報記憶部（４３２，５３２）に記憶されており、
前記運転者状態判定ステップで、前記脳機能賦活情報又は前記脳活動関連変化量に対する前記判定用成分の相関値を算出し、算出した相関値及び前記判定情報に基づいて、前記対象者の運転者状態レベルを判定する、
請求項２０に記載の運転者状態判定方法。
【請求項２２】
所定のタイミングで、前記脳機能賦活情報検知ステップ、前記脳機能賦活情報提供ステップ、又は、前記機器変化量検出ステップ及び前記脳活動関連変化量抽出ステップ、並びに、前記顔面変化情報取得ステップ、前記顔面変化情報分解ステップ、及び前記判定用成分抽出ステップを実行し、前記脳機能賦活情報又は前記脳活動関連変化量に関連する成分を基準判定用成分として抽出する、
請求項２１に記載の運転者状態判定方法。
【請求項２３】
前記判定情報記憶部（５３２）は、ネットワーク上の判定情報提供装置（５００）に格納されており、
前記運転者状態判定ステップが、前記運転者状態レベルを判定する際に、前記判定情報提供装置にアクセスする、
請求項２１または２２に記載の運転者状態判定方法。
【請求項２４】
前記基準相関値は、前記対象者以外の者に、前記脳機能賦活情報を提供して得られた基準判定用成分に基づいて算出されるものである、又は正常運転時の脳活動関連変化量から得られた基準判定用成分に基づいて算出されるものである、
請求項２３に記載の運転者状態判定方法。